(57)【特許請求の範囲】
【請求項１】
下側ケースと開口部を有する上面板とで構成されるバックライトシャーシ内に、光源を備えた導光板と光学シート部とを積層して収納する構成のバックライトユニットにおいて、前記上面板の下面の前記開口部周辺に突起群を配して前記突起群が前記光学シート部に接触するように構成したことを特徴とするバックライトユニット。
【請求項２】
前記突起群は二列に配置されていることを特徴とする請求項１記載のバックライトユニット。
【請求項３】
前記突起群の各突起の形状が錐体であることを特徴とする請求項１記載のバックライトユニット。
【請求項４】
前記突起群の各突起間の間隔は前記突起群の高さ以下であることを特徴とする請求項１記載のバックライトユニット。
【請求項５】
前記突起群は前記上面板と一体化形成されていることを特徴とする請求項１記載のバックライトユニット。
【請求項６】
前記バックライトシャーシは絶縁性樹脂で成型されていることを特徴とする請求項１記載のバックライトユニット。
【請求項７】
前記二列に配置された前記突起群の一方は他方と各突起の中心位置がずれるように配置されていることを特徴とする請求項２記載のバックライトユニット。
【請求項８】
前記二列に配置された前記突起群の一方と他方とは、その延在方向から見て各突起の底部が重なって見えるように配置されていることを特徴とする請求項２記載のバックライトユニット。
【請求項９】
前記突起群の各突起の高さが０．５ｍｍ以下であることを特徴とする請求項１記載のバックライトユニット。
【発明の詳細な説明】
【０００１】
【発明の属する技術分野】
本発明は液晶表示モジュール等に使用されるバックライト構造に関し、特にバックライトシャーシ内にバックライトと光学シート類とを一体化したバックライトユニット構造に関する。
【０００２】
【従来の技術】
液晶表示パネルとバックライトとを一体化した液晶表示モジュールの一例が、特開平１０−２８２９００号公報等に開示されている。同公報では図３に示すように、金属製の下側シールドケース２１と金属製の上側シールドケース２２とを嵌合して両者を図示していないフック部によって互いに結合したケース内に、光源２１８を備えた導光板２１３と、拡散シート２１４とプリズムシート２１５等を積層した光学シート部２４とを積層収納し、さらに、下面の四隅にスペーサ突起２２１を設けた金属製の支持板２６を光学シート部２４上に搭載して、その支持板２６上に、偏光板２１１，２１２を備えた液晶表示パネル２８を両面接着テープ２７により貼り付けることにより、一体化している。なお、図中の２１７および２１６は反射板である。
【０００３】
【発明が解決しようとする課題】
上記のような構成の液晶表示モジュールでは、下側ケースに導光板を収納する際に、ケース側壁と導光板とが接触して一部が削れてゴミが発生したり、上下の金属ケースを嵌合させる際や、支持板を嵌合させる場合にそれらの一部が接触して削れて金属性ゴミを発生することがある。これらのゴミの内、絶縁性のゴミは下側ケースと導光板との隙間等に残留固着している限り問題を生じる可能性は低いが、液晶表示モジュールとして製品化した時、製品への物理的振動や衝撃により残留していたゴミが表示領域へ出てきてしまい表示不良となる問題を有している。また、金属製のゴミの場合は、ゴミの移動で表示不良となる問題以外に、電気的短絡現象を生じる恐れがあり、致命的な欠陥問題を生ずる。
【０００４】
【課題を解決するための手段】
本発明によれば、下側ケースと開口部を有する上面板とで構成されるバックライトシャーシ内に、光源を備えた導光板と光学シート部とを積層して収納する構成のバックライトユニットにおいて、前記上面板の下面の前記開口部周辺に突起群を配して前記突起群が前記光学シート部に接触するように構成したことを特徴とするバックライトユニットが得られる。
【０００５】
前記突起群は二列に配置されていることをも特徴とする。
【０００６】
さらに、前記突起群の各突起の形状が錐体であることをも特徴とする。
【０００７】
また、前記突起群の各突起間の間隔は前記突起群の高さ以下であることが望ましい。各突起の高さは０．５ｍｍ以下が好ましい。
【０００８】
さらにまた、前記突起群は前記上面板と一体化形成されていることが好ましい。を特徴とする請求項１記載のバックライトユニット。
【０００９】
また、前記バックライトシャーシは絶縁性樹脂で成型されていることをも特徴とする。
【００１０】
前記二列に配置された前記突起群の一方は他方と各突起の中心位置がずれるように配置されていることをも特徴とする。
【００１１】
また、前記二列に配置された前記突起群の一方と他方とは、その延在方向から見て各突起の底部が重なって見えるように配置されていることをも特徴とする。
【００１２】
【発明の実施の形態】
次に、本発明の実施の形態について図面を参照して詳細に説明する。
【００１３】
図１は本発明によるバックライトユニット１０を照光面３側から見た平面図であり、ポリカーボネート等の絶縁樹脂系のバックライトシャーシ１の上面板１１は照光領域に相当する開口部が形成され、バックライトシャーシ１内に照明手段が収納されている。
【００１４】
バックライトシャーシ１の周辺部の断面、すなわち、図１のＡ−Ａ線に沿った断面の拡大図を図２に示す。バックライトシャーシ１の下側ケース１２内には、下から順に反射シート６、図示していない光源を備えた導光板５，光を均一に照射させる光学シート部４が積層されて収納されている。光学シート４は、図示の例では、二枚の拡散シート４１，４４の間に二枚のプリズムレンズシート４２，４３を挟んだ四層構造を採用しているが、従来例のように二層構造でも構わない。
【００１５】
導光板３は、図３の従来例のようなエッジライト方式のように導光板の側端面に蛍光管等の光源を配したものでもよいし、導光板の下面に光源を配した直下型方式のものでも差し支えない。
【００１６】
バックライトシャーシ１の上面板１１の内面には、円錐、角錐などの錐体状の突起群２が開口部１４の周辺に沿って二列に配列されている。なお、図１では、左辺のみ突起群を描き、上下の辺および右辺での突起群は点線で代表させているが、左辺と同じ突起群である。この突起群２は、上面板１１をエンボス加工することにより容易に形成できる。または、樹脂成型技術を採用すれば、より細密な突起群を形成できる。
【００１７】
図２に示すように、上面板１１と光学シート部４の最上部との間に隙間１３があるが、突起群２を設けておくことにより、開口部１４側からこの隙間１３への異物の進入が阻止される。また、バックライトユニットの組立時にシャーシ１と光学シート部４間に混入したゴミや異物が開口部１４の照光面３上へ移動することも防止する。図示されていないが、液晶表示パネルは上面板１１上に両面接着テープ等を用いて搭載され、液晶表示モジュールが構成される。
【００１８】
本発明において、配置する突起２の数量、形状及び配置は異物の移動、進入を防げることができれば、どのような形態でも構わないが、ゴミ等の細かい異物の移動阻止をより一層効果的にするには、隣接する突起の間隔を突起の高さ、すなわち隙間１３の間隔以下にすることが望ましい。より望ましくは、図示のように突起群２を二列以上配列することが望ましい。一列配置の場合は隣接する突起の間隔を二列配置の場合に比べてより狭くし、例えば、突起の底部の外径寸法より小さい間隔することが好ましい。
【００１９】
二列配置の場合も、単に二列にするのではなく、図示のように、内側の突起群と外側の突起群との各突起の中心位置をずらして、互い違いになるように、いわゆる千鳥配置とし、一辺から見て、見通せないような配置にすることが望ましい。
【００２０】
また、内側の突起群と外側の突起群とは、図２に示すように、各辺の延在方向において突起の底部の一部が重なって見えるように配置する方が、異物の移動を阻止する上で好ましい。
【００２１】
なお、突起の高さは０．５ｍｍ以下が好ましい。その理由は発生する削りゴミなどの異物の多くはその外径が０．５ｍｍより大きいからである。
【００２２】
また、各突起の形状を円錐、三角錐、四角錐等の錐体状とすることにより、光学シート部４への接触面積が点になり、最小になる。これにより、突起がシートを押さえつけることによって発生しやすいシートシワの防止につながる利点がある。
【００２３】
さらに、錐体状の突起形状とすることにより、バックライト組立時に進入若しくは、液晶モジュール組立時にシャーシとシート間に進入した異物が、隣接する錐体間に捕らわれる、又はスパイク効果により混入した異物をその場に固定できるという利点もある。
【００２４】
なお、本発明の突起群の主目的は異物の移動阻止であるから、突起群は光学シート部に接触する程度に配置されればよく、押さえつけて固定する必然性はとくにない。
【００２５】
また、上面板１１と下側ケースとの接合は接着剤を使用してもよいし、互いに嵌合できるように成型して嵌合結合するように構成してもよい。
【００２６】
【発明の効果】
本発明の効果として、まず第一に、シャーシ１の光学シート部４との間に突起群２を設けることにより、シャーシ１と光学シート部４との隙間への異物進入及びバックライト組立時のシャーシ１と光学シート部４間への混入異物の照光面３への移動が防止される。これにより、シャーシ１とシート部４間にある異物はバックライトへの物理的振動及び衝撃などによって照光面３上へ移動し難くなり、異物起因の製造歩留が向上することである。
【００２７】
第二の効果として、突起２が点状であるため、シャーシ１によるシート部４の押さえ込み時シート部４はフリー状態に近く、シート部４シワの発生が押さえられることである。
【００２８】
第三の効果として、突起２は、シャーシ１と一体化構造なのでシャーシ１の成型時に形成可能であことから、付属部品の追加が無いため、コストアップにつながらないことである。
【００２９】
第四の効果としては、バックライトシャーシ１が絶縁性であるため、金属ゴミの発生が抑制され、ショート等の致命的問題を回避できることである。
【図面の簡単な説明】
【図１】本発明の実施の形態によるバックライトユニットの平面図。
【図２】図１のＡ−Ａ線に沿った拡大断面図。
【図３】従来例の液晶表示モジュールを示す断面図。
【符号の説明】
１    バックライトシャーシ
２    突起群
３    照光面
４    光学シート部
５    導光板
６    反射シート
１０    バックライトユニット
１１    上面板
１２    下側ケース
１３    隙間
１４    開口部
４１、４４    拡散シート
４２，４３    プリズムレンズシート
【図１】
0003570949.tif 000002
【図２】
0003570949.tif 000003
【図３】
0003570949.tif 000004